(57)【特許請求の範囲】
【請求項１】
被操作対象を特定するための音声情報を前記被操作対象に関連付けて登録及び記憶する記憶手段と
音声が供給されると、前記記憶手段に記憶されている前記音声情報のうち前記音声に対応する音声情報に関連付けられている被操作対象を操作する操作手段と、
前記記憶手段に記憶されている音声情報を被操作対象に関連付けて検索して、その検索した音声情報を音声により提示する検索手段とを備えたことを特徴とする音声操作装置。
【請求項２】
前記検索手段は、外部から供給される検索指令を受けると、その時点で、アクティブ状態にある被操作対象を検出して、その検出したアクティブ状態の被操作対象に関連付けられている音声情報を前記記憶手段から検索すると共に、その検索した音声情報を音声により提示することを特徴とする請求項１に記載の音声操作装置。
【請求項３】
前記検索手段は、前記検索指令を受けて前記検索を行った結果、前記アクティブ状態の被操作対象に関連付けられた音声情報が前記記憶手段に記憶されていない場合、前記記憶手段に記憶されている他の被操作対象に関連付けられている音声情報を検索して音声によって提示することを特徴とする請求項２に記載の音声操作装置。
【請求項４】
前記検索手段は、前記検索指令を受けると、前記記憶手段に記憶されている音声情報の内の前記被操作対象に関連付けられている音声情報を、登録された順番に従って正方向順又は逆方向順に検索して音声により提示することを特徴とする請求項２又は３に記載の音声操作装置。
【請求項５】
前記記憶手段は前記音声情報の再記憶が可能であり、前記再記憶の際、供給される音声をアクティブ状態の被操作対象に関連する音声情報として記憶することを特徴とする請求項１〜４のいずれか１項に記載の音声操作装置。
【発明の詳細な説明】
【０００１】
【発明の属する技術分野】
本発明は、例えば、電子機器等を音声入力によって制御、操作することを可能にする音声操作技術に関する。
【０００２】
【従来の技術】
音声入力で電子機器等を操作することを可能にする音声操作技術が提案され、音声認識技術の進展と相俟って積極的に音声操作技術を導入した電子機器等の開発が進められるようになった。
【０００３】
例えば、音声操作の可能な車載用オーディオシステムが知られており、ユーザーが音声データを放送局のチャンネル周波数毎に登録しておき、その登録した音声データに対応する語彙を発話すると、その発話された語彙を音声認識技術により音声認識して、指示されたチャンネル周波数を自動選局するようになっている。
【０００４】
より具体的には、ユーザーは所望の放送局のチャンネル周波数を選局し、車載用オーディオシステムに設けられている音声登録釦を操作して例えば『第１放送局』と発話すると、その『第１放送局』という語彙の音声データを上記チャンネル周波数に対応付けてメモリに記憶（登録）させることができる。他の放送局のチャンネル周波数についても同様の選局を行い、各チャンネル周波数毎に『第２放送局』『第３放送局』等の発話を行うと、各チャンネル周波数に対応付けて『第２放送局』『第３放送局』等の語彙の音声データをメモリに記憶させることができる。この音声登録操作後にユーザーが『第１放送局』『第２放送局』『第３放送局』等の語彙のうちの一を発話すると、これを音声認識して指示されたチャンネル周波数を自動選局するようになっている。
【０００５】
【発明が解決しようとする課題】
上記車載用オーディオシステムにあっては、上述したように予め音声データを被操作対象に対応付けて登録しておくことにより、音声操作できるようになっている。ところが、ユーザーは登録しておいた語彙を忘れてしまったり、登録しておいた語彙と被操作対象との対応関係を忘れてしまう場合があり、こうした場合には改めて上記の音声登録操作をし、メモリに記憶されている旧い音声データを新しい音声データに変更し直すなどの操作が必要となっていた。
【０００６】
特に、定型語彙だけを登録可能とするのではなく、任意の語彙を音声登録できるようにして、ユーザーの利便性の向上を図ることが望ましいが、こうした汎用性の高いシステムを構築すると、ユーザーは登録しておいた語彙を忘れてしまう傾向が高まることから、有用なシステムであるにもかかわらず逆に操作性の悪いものとなってしまうという課題があった。
【０００７】
尚、音声操作技術の従来例として、車載用オーディオシステムにおける特に選局操作の場合について説明したが、車載用オーディオシステムに搭載されているＭＤ（Mini Disc）プレーヤーやＣＤ（Conpact Disc）プレーヤー等に記録再生媒体を挿入し、その記録再生媒体に記録されている楽曲やタイトル等をユーザーが音声で選択操作する場合にも、ユーザーが登録しておいた語彙を忘れてしまうことによる問題があった。
【０００８】
また、車載用オーディオシステムに限らず、ユーザーによる登録語彙の忘却が、音声操作技術における課題となっていた。
【０００９】
本発明は、上記従来技術の課題を克服するためになされたものであり、ユーザーが登録音声を忘れた場合等でも、登録音声とそれに対応する被操作対象との関連を容易に調べることを可能にして、操作性の向上を実現し得る音声操作装置を提供することを目的とする。
【００１０】
【課題を解決するための手段】
上記目的を達成するため本発明の音声操作装置は、被操作対象を特定するための音声情報を前記被操作対象に関連付けて登録及び記憶する記憶手段と、音声が供給されると、前記記憶手段に記憶されている前記音声情報のうち前記音声に対応する音声情報に関連付けられている被操作対象を操作する操作手段と、前記記憶手段に記憶されている音声情報を被操作対象に関連付けて検索して、その検索した音声情報を音声により提示する検索手段とを備えたことを特徴とする。
【００１１】
かかる構成によれば、ユーザーは、検索手段が検索し音声によって提示する音声情報を取得することで、記憶手段に記憶されている（登録されている）音声情報を忘れた場合等でも、その音声情報とそれに対応する被操作対象との関連を容易に調べることができる。このため、音声情報を忘れた場合等に、音声情報を記憶手段に再度記憶させる必要が無くなり、操作性の向上が実現される。
【００１２】
【発明の実施の形態】
以下、本発明の実施の形態を図面を参照して説明する。尚、一実施形態として、ラジオ放送等を受信する受信チューナ、ＭＤ再生用のＭＤプレーヤー、ＣＤ再生用のＣＤプレーヤー、周波数特性を調整するためのイコライザ、音量調整用のアンプ等（以下、これらをオーディオユニットと総称する）を搭載した車載用オーディオシステムを音声操作するための音声操作装置について説明する。
【００１３】
図１は、本音声操作装置１の外観構造を示す平面図、図２は、音声コントロールユニット２に内蔵されている信号処理回路の構成を示すブロック図である。
【００１４】
図１において、本音声操作装置１は、上記各オーディオユニットを制御するための本体部である音声コントロールユニット２と、ユーザーが音声コントロールユニット２に対して指示するための音声入力用マイクロフォン３及び遠隔操作部４とを備えて構成されている。
【００１５】
遠隔操作部４には、小型のスピーカ５と押し釦式の操作釦スイッチ６〜１１が設けられている。
【００１６】
操作釦スイッチ６は「通常登録／音声操作キー」、操作釦スイッチ７は「検索／正方向走査キー」、操作釦スイッチ８は「検索／逆方向走査キー」、操作釦スイッチ９は「ユニット登録／検索キー」、操作釦スイッチ１０は「調整音声登録／検索キー」、操作釦スイッチ１１は「音量調節／案内言語切換キー」と呼ばれ、それぞれ後述する所定の機能を有している。
【００１７】
これらマイクロフォン３と遠隔操作部４は、図２に示すように、接続ケーブル１２，１３を介して音声コントロールユニット２のコネクタ１４に着脱自在に接続されている。
【００１８】
図２において、音声コントロールユニット２には、ユーザーが発話する際、接続ケーブル１２を介してマイクロフォン３より供給される音声信号を増幅する増幅器（マイクアンプ）１５と、マイクアンプ１５で増幅された音声信号を音声認識する音声認識部１８と、音声認識部１８で認識された音声データを記憶する不揮発性メモリで形成された音声データ記憶部１９が備えられている。
【００１９】
音声データ記憶部１９には、音声認識部１８より供給される上記音声データを記憶するタイトル指定音声データ記憶テーブル１９ａとユニット指定音声データ記憶テーブル１９ｂ及び調整音声データ記憶テーブル１９ｃの他、後述の案内音声を生成するための案内音声用データが予め記憶されている案内データ記憶テーブル１９ｄが備えられている。
【００２０】
ここで、タイトル指定音声データ記憶テーブル１９ａは、図３（ａ）に模式的に示すように、アクティブ状態、すなわち現在動作中のオーディオユニットの再生中の楽曲やタイトル、放送局のチャンネル周波数等の情報等と、ユーザーの発話した音声のデータ（音声データ）とを対応付けて記憶（登録）するために設けられている。ユニット指定音声データ記憶テーブル１９ｂは、図３（ｂ）に模式的に示すように、現在動作中のオーディオユニットの名称とユーザーの発話した音声のデータ（音声データ）とを対応付けて記憶（登録）するために設けられている。調整音声データ記憶テーブル１９ｃは、図３（ｂ）に模式的に示すように、イコライザの設定状態やポジショニングの設定状態の情報とユーザーの発話した音声のデータ（音声データ）とを対応付けて記憶（登録）するために設けられている。
【００２１】
更に音声コントロールユニット２には、音声データ記憶部１９に記憶された音声データ又は案内音声用データに基づいて案内音声信号を生成する音声合成部２０と、「ピー」「ブー」等の擬音信号を生成する擬音生成部１７と、これら案内音声信号と擬音信号を電力増幅し接続ケーブル１３を介して遠隔操作部４内のスピーカ５に供給する増幅器（スピーカアンプ）１６が備えられている。
【００２２】
更に、各操作釦スイッチ６〜１１からの操作信号を接続ケーブル１３を介して入力すると共に上記各オーディオユニットを制御する制御部２１と、制御部２１と上記各オーディオユニットとの間で双方向通信を可能にするインタフェース回路（Ｉ／Ｆ回路）２２及びインタフェースポート２３が備えられている。
【００２３】
尚、制御部２１には、予め設定されたシステムプログラムを実行することで本音声操作装置１全体の動作と上記各オーディオユニットを制御するマイクロプロセッサが備えられている。
【００２４】
次に、かかる構成を有する音声操作装置１の動作を図３ないし図１５を参照して説明する。尚、図３（ａ）（ｂ）（ｃ）は、タイトル指定音声データ記憶テーブル１９ａとユニット指定音声データ記憶テーブル１９ｂ及び調整音声データ記憶テーブル１９ｃの各メモリマップをそれぞれ示す図、図４〜図９は、操作釦スイッチ６〜１１の各機能を示す機能説明図、図１０〜図１５は、ユーザーが操作釦スイッチ６〜１１を操作したときの音声操作装置１の動作例を説明するためのフローチャートである。
【００２５】
図４〜図９に列記されているように、ユーザーが操作釦スイッチ６〜１１のいずれかを寸押し、又は連続して２秒以上押圧操作すると、これらの操作態様に応じたモードが設定される。
【００２６】
本実施形態では、大別して、音声操作に必要な音声データを予めタイトル指定音声データ記憶テーブル１９ａとユニット指定音声データ記憶テーブル１９ｂと調整音声データ記憶テーブル１９ｃに登録するための登録モードと、これらの音声データ記憶テーブル１９ａ〜１９ｃに登録された音声データに対応する音声をユーザーが発話することで音声操作を可能にする操作モードと、これらの音声データ記憶テーブル１９ａ〜１９ｃに登録されている音声データをユーザーが確認するための検索モードが備えられている。
【００２７】
図１０において、車載用オーディオシステムの主電源が投入されるのに応じて、音声操作装置１にも自動的に電源が投入され、制御部２１は操作釦スイッチ６〜１１のいずれかが操作されるまで待機する（ステップ１００〜１２０）。この待機処理中に、ユーザーが操作釦スイッチ６〜１１のいずれかを寸押し又は連続して２秒以上押圧操作すると、図４〜図９の機能説明図に示すように、これらの操作態様に応じたモードが設定される。
【００２８】
ステップ１０２において、通常操作／音声操作キー６が連続して２秒以上押圧されたことを判定すると、音声登録モードとなり、図１１に示す処理に移行する。  音声登録モードでは、先ず、制御部２１がシステプムログラムから成るプログラムカウンタに１をセットしてステップ２００以降の処理を行う。
【００２９】
ステップ２００では、音声合成部２０が案内データ記憶テーブル１９ｄ中の所定の案内音声用データを読み出して案内音声信号を生成し、擬音生成部１７が『ピィ』という擬音信号を生成する。
【００３０】
制御部２１がこれらの案内音声信号と擬音信号をスピーカアンプ１６に供給させ、『タイトルを登録してください…ピィ』という案内音声と擬音からなる案内音（ガイダンス音という）としてスピーカ５により再生させ、ユーザーに対し登録すべき音声を発話するように示唆する。
【００３１】
次に、ステップ２０２において、音声認識部１８が音声認識処理を開始する。上記ガイダンス音に応じてユーザーが所望の語彙を発話すると、音声認識部１８がこの発話開始時点を検出し、その発話開始時点から制御部２１内のプログラムタイマが起動し、音声認識部１８に対し２．５秒以内に発話された音声を音声認識させるように制御する。
【００３２】
より詳細には、音声認識部１８は、上記ガイダンス音を提示する前にマイクロフォン３で集音されマイクアンプ１５を介して入力される周囲の音（環境音のパワー）を測定し、その環境音のパワーレベルをノイズレベルとする。尚、マイクアンプ１５の出力信号を１０ミリ秒ずつ積算し、各積算値を音のパワーレベルとして測定し、環境音のパワーレベルよりも高レベルの第１閾値ＴＨＤ１を１０ミリ秒毎に設定する。
【００３３】
そして、ユーザーが発話すると、音声認識部１８はその発話音声のレベル（音のパワー）と最新の第１閾値ＴＨＤ１とを比較し、その発話音声のレベルが第１閾値ＴＨＤ１より大きくなった時点を発話開始時点とする。発話開始時点からプログラムタイマが起動し、音声認識部１８は、２．５秒以内に発話された音声を音声認識し、その認識結果である音声データを生成する。
【００３４】
ここで、予め第１閾値ＴＨＤ１より高いレベルに設定されている第２閾値（固定値）ＴＨＤ２と、発話音声のレベル（音声のパワー）とを更に比較し、発話音声のパワーが第２閾値ＴＨＤ２より高くなった場合に、正常に音声認識が行われたと判断する。つまり、発話音声のレベルが最新の第１閾値ＴＨＤ１より高くなり、引き続いて発話音声のレベルが第２閾値ＴＨＤ２より高くなった場合に、その発話音声を認識対象とすることで、ノイズの影響の少ない発話音声の特徴を精度良く抽出して、音声認識精度の向上を図るようにしている。
【００３５】
次に、ステップ２０４においてタイマー若しくはレベルの変動によって音声認識の終了を確認した後、ステップ２０６において、音声認識が正常になされたか否か判断する。ここで、音声認識が正常になされたか否かの判断は、認識対象として入力した上記発話音声のレベル（音声のパワー）が第１，第２の閾値ＴＨＤ１，ＴＨＤ２より高いレベルであったか否かを判断することにより行われる。そして、音声認識が正常になされたと判断した場合にはステップ２０８に移行する。
【００３６】
ステップ２０８では、制御部２１がＩ／Ｆ回路２２及びインタフェースポート２３を介して、現在動作中のオーディオユニットとそのオーディオユニットの再生中の情報を受信し、その受信データと音声認識部１８で生成された上記音声データとを対応付けて（組み合わせて）、タイトル指定音声データ記憶テーブル１９ａに記憶させる。
【００３７】
例えば、現在動作中のオーディオユニットがＣＤプレーヤーで、そのＣＤプレーヤーが記録再生媒体（ＣＤ）のトラック１（ｔｒａｃｋ１）の楽曲等を再生中であった場合に、ユーザーがステップ２０２において『いち』と発話したとすると、上記受信データは「ｄｉｓｃ１  ｔｒａｃｋ１」となり、上記音声データは「いち」の語彙情報を有することになる。これら受信データと音声データが対応付けられ、登録音声データとしてタイトル指定音声データ記憶テーブル１９ａに記憶（登録）される。
【００３８】
また、現在動作中のオーディオユニットがラジオ受信チューナで、チャンネル周波数７６．１ＭＨｚの放送局を選局していた場合に、ユーザーがステップ２０２において『なな』と発話したとすると、そのチャンネル周波数７６．１ＭＨｚの受信データと、『なな』の音声データとが対応付けられ、登録音声データとしてタイトル指定音声データ記憶テーブル１９ａに記憶（登録）される。
【００３９】
すなわち、音声登録モードでは、図３（ａ）に示すように、現在動作中のオーディオユニットで再生される楽曲やタイトル、受信チャンネル周波数等の情報に対応付けて、ユーザーの発話音声に対応する音声データをタイトル指定音声データ記憶テーブル１９ａに登録する。
【００４０】
次に、上記音声データの登録を完了するとステップ２１０へ移行し、音声合成部２０が案内データ記憶テーブル１９ｄ中の所定の案内音声用データを読み出して案内音声信号を生成する。制御部２１がこの案内音声信号をスピーカアンプ１６に供給させ、『登録しました』というガイダンス音をスピーカ５より出力させることでユーザーに対し登録処理完了の提示をし、更に、音声登録モードを終了した後、再び図１０中のステップ１００からの待機状態となる。
【００４１】
上記ステップ２０６において、音声認識が正常になされなかったと判断した場合にはステップ２１２に移行する。ステップ２１２では、制御部２１が上記プログラムカウンタの計数値を調べ、２回目かの判断をする。２回目の場合にはステップ２１４へ移行する。
【００４２】
ステップ２１４では、擬音生成部１７が『ブーブー』という擬音信号を生成する。制御部２１がこの擬音信号をスピーカアンプ１６に供給させ、『ブーブー』というガイダンス音をスピーカ５より出力させることで、登録失敗の警告をする。そして、音声登録モードを終了した後、再び図１０中のステップ１００からの待機状態となる。つまり、ノイズの影響等により発話音声の特徴を精度良く抽出できなかったことになると、ユーザーは改めて最初から登録操作を行うことになる。
【００４３】
ステップ２１２において、上記プログラムカウンタの値を１と判定した場合にはステップ２１６に移行する。ステップ２１６では、上記プログラムタイマーの計測値を調べ、２．５秒間以上発話されたか否か判断する。
【００４４】
２．５秒間以上発話された場合には、音声合成部２０が案内データ記憶テーブル１９ｄ中の所定の案内音声用データを読み出して案内音声信号を生成し、擬音生成部１７が『ブー』という擬音信号を生成する。制御部２１がこの案内音声信号と擬音信号をスピーカアンプ１６に供給させ、『ブー…長すぎます』というガイダンス音をスピーカ５より出力させることで、発話時間が長すぎる旨の警告をする。
【００４５】
これ以外の何らかの問題で正常に音声認識がなされなかった場合には、音声合成部２０が案内データ記憶テーブル１９ｄ中の所定の案内音声用データを読み出して案内音声信号を生成すると共に、擬音生成部１７が『ブー』という擬音信号を生成し、制御部２１がこの案内音声信号と擬音信号をスピーカアンプ１６に供給させ、『ブー…もう一度』というガイダンス音をスピーカ５より出力させることで、再度の音声入力を示唆するための警告を行う。
【００４６】
そして、上記の警告を完了すると、上記プログラムカウンタに２をセットしてスッテプ２００からの処理を再開し、ユーザーに対し再び所望の発話を行わせる。すなわち、スッテプ２１６では、主としてユーザーの発話の仕方が適切でなかった旨の警告を行う。この警告に応じてユーザーが再び適切に発話すれば、ステップ２０８で上記音声データの登録がなされる。したがって、ユーザーは通常操作／音声操作キー６を再び操作しなくても、適切な音声データを登録させることができるようになっており、操作性の向上が図られている。
【００４７】
このように、ユーザーは通常操作／音声操作キー６を連続して２秒以上押圧すると、ガイド音に応じて発話するだけで、現在動作中のオーディオユニットの再生中の楽曲やタイトル、放送局のチャンネル周波数等の情報等に対応付けて、発話音声をタイトル指定音声データ記憶テーブル１９ａに登録することができる。つまり、オーディオユニットの名称を音声登録するのではなく、ユーザーが聴取したいと欲する情報そのものを音声登録することができる。この登録操作後に、ユーザーは登録済みの音声データに対応する語彙を発話するだけで、上記楽曲やタイトル、放送局等を指定するための音声操作（詳細については後述する）が可能となる。
【００４８】
次に、図１０中のステップ１０４において、ユニット登録／検索キー９が連続して２秒以上押圧されたことを判定した場合の動作を説明する。ユニット登録／検索キー９が連続して２秒以上押圧されると、ユニット指定音声登録モードとなり、図１２に示す処理に移行する。
【００４９】
ユニット指定音声音声登録モードでは、先ず、制御部２１がシステプムログラムから成るプログラムカウンタに１をセットしてステップ３００以降の処理を行う。
【００５０】
ステップ３００では、図１１中のステップ２００と同様に、『ユニット名を登録してください…ピィ』というガイダンス音を再生することにより、ユーザーに対し登録すべき音声を発話するように示唆する。
【００５１】
次に、ステップ３０２において、音声認識部１８がステップ２０２と同様に、音声認識処理を開始する。上記ガイダンス音に応じてユーザーが所望の語彙を発話すると、音声認識部１８がこの発話開始時点を検出し、その発話開始時点から制御部２１内のプログラムタイマが起動し、音声認識部１８に対し２．５秒以内に発話された音声を音声認識させるように制御する。
【００５２】
次に、ステップ３０４において音声認識の終了を確認した後、ステップ３０６において、ステップ２０６と同様の処理により音声認識が正常になされたか否か判断する。音声認識が正常になされたと判断した場合にはステップ３０８に移行する。
【００５３】
ステップ３０８では、制御部２１がＩ／Ｆ回路２２及びインタフェースポート２３を介して、現在動作中のオーディオユニットを検出し、その検出データと音声認識で得られた音声とを対応付けて（組み合わせて）、ユニット指定音声データ記憶テーブル１９ｂに記憶させる。
【００５４】
例えば、現在動作中のオーディオユニットがＣＤプレーヤーの時に、ユーザーがステップ３０２において『しーでぃ』と発話したとすると、上記検出データは「ｃｄ」となり、上記音声データは「しーでぃ」の語彙情報を有することになる。これら検出データと音声データが対応付けられ、登録音声データとしてユニット指定音声データ記憶テーブル１９ｂに記憶される。
【００５５】
また、現在動作中のオーディオユニットがラジオ受信チューナの時に、ユーザーがステップ３０２において『ちゅーなー』と発話したとすると、検出データは「ｔｕｎｅｒ」、音声データは『ちゅーなー』となり、これら検出データと音声データがとが対応付けられ、登録音声データとしてユニット指定音声データ記憶テーブル１９ｂに記憶される。
【００５６】
すなわち、ユニット指定音声音声登録モードでは、図３（ｂ）に示すように、現在動作中のオーディオユニットの名称に対応付けて、ユーザーの発話音声に対応する音声データをユニット指定音声データ記憶テーブル１９ｂに登録する。
【００５７】
次に、上記音声データの登録を完了するとステップ３１０へ移行し、ステップ２１０と同様に、『登録しました』というガイダンス音をスピーカ５より出力させることでユーザーに対し登録処理完了の提示をし、更に、音声登録モードを終了した後、再び図１０中のステップ１００からの待機状態となる。
【００５８】
上記ステップ３０６において、音声認識が正常になされなかったと判断した場合にはステップ３１２に移行する。ステップ３１２では、ステップ２１２と同様に、上記プログラムカウンタの計数値を調べ２回目の場合には、ステップ３１４へ移行する。
【００５９】
ステップ３１４では、ステップ２１４と同様に、『ブーブー』というガイダンス音を再生することで、登録失敗の警告をする。そして、音声登録モードを終了した後、再び図１０中のステップ１００からの待機状態となる。つまり、ノイズの影響等により発話音声の特徴を精度良く抽出できなかったことになると、ユーザーは改めて最初から登録操作を行うことになる。
【００６０】
ステップ３１２において、上記プログラムカウンタの値を１と判定した場合にはステップ３１６に移行する。ステップ３１６では、ステップ２１６と同様に、２．５秒以内に発話されたか否か判断する。２．５秒間以上発話された場合には、『ブー…長すぎます』というガイダンス音により、発話時間が長すぎる旨の警告をする。これ以外の何らかの問題で正常に音声認識がなされなかった場合には、『ブー…もう一度』というガイダンス音により、再度の音声入力を示唆するための警告を行う。
【００６１】
そして、上記の警告を完了すると、上記プログラムカウンタに２をセットして、スッテプ３００からの処理を再開し、ユーザーに対し再び所望の発話を行わせる。すなわち、ステップ３１６では、主としてユーザーの発話の仕方が適切でなかった旨の警告を行う。この警告に応じてユーザーが再び適切に発話すれば、ステップ３０８で上記音声データの登録がなされる。したがって、ユーザーはユニット登録／検索キー９を再び操作しなくても、適切な音声データを登録させることができるようになっており、操作性の向上が図られている。
【００６２】
このように、ユーザーはユニット登録／検索キー９を連続して２秒以上押圧すると、ガイド音に応じて発話するだけで、現在動作中のオーディオユニットに対応付けて、発話音声をユニット指定音声データ記憶テーブル１９ｂに登録することができる。この登録操作後に、ユーザーは登録済みの音声データに対応する語彙を発話するだけで、オーディオユニットを指定するための音声操作（詳細については後述する）が可能となる。
【００６３】
次に、図１０中のステップ１０６において、調整音声登録／検索キー１０が連続して２秒以上押圧されたことを判定した場合の動作を説明する。調整音声登録／検索キー１０が連続して２秒以上押圧されると、イコライザ調整音声登録モードとなり、図１３に示す処理に移行する。
【００６４】
先ず、ステップ４００において、音声合成部２０が『イコライザーモードを登録してください』というガイダンス音を再生した後、ステップ４０２において、制御部２１がシステプムログラムから成るプログラムタイマをリスタートさせ、１秒間計測する。この１秒以内に、ステップ４０４と４０６において、調整音声登録／検索キー１０が寸押しされたか、他の操作キー６〜９，１１が寸押しされたかの判定を行う。
【００６５】
調整音声登録／検索キー１０が寸押しされた場合には、ステップ４０８の処理、他の操作キー６〜９，１１が寸押しされた場合には、ステップ４１０の処理に移行し、１秒以内に全ての操作キー６〜１１が操作されなかった時には、ステップ４２０の処理に移行する。
【００６６】
ステップ４０６において、調整音声登録／検索キー１０以外の操作キー６〜９，１１の何れかが寸押しされステップ４１０の処理に移行すると、寸押しされた操作キーに対応する処理を行った後、図１０のステップ１００に戻る。
【００６７】
ステップ４０４において、調整音声登録／検索キー１０が寸押しされステップ４０８の処理に移行すると、音声合成部２０が『リスニングポジションを登録してください』というガイダンス音を再生した後、ステップ４１２の処理に移行する。ステップ４１２では、再びプログラムタイマをリスタートさせ、１秒間計測する。
【００６８】
この１秒以内に、ステップ４１４と４１６において、調整音声登録／検索キー１０が寸押しされたか、他の操作キー６〜９，１１が寸押しされたかの判定を行う。調整音声登録／検索キー１０が寸押しされた場合には、ステップ４００に戻り、他の操作キー６〜９，１１が寸押しされた場合には、ステップ４１８において、寸押しされた操作キーに対応する処理を行った後、図１０のステップ１００に戻る。
【００６９】
すなわち、ステップ４０２〜４１８では、調整音声登録／検索キー１０が１回だけ寸押しされた場合には、オーディオユニットであるイコライザの周波数特性を設定するための音声登録モードとなり、最初の１秒間以内に調整音声登録／検索キー１０が２回目の寸押しがなされた場合には、ステレオスピーカの各チャンネルにおける各出力レベル（リスニングポジション）を設定するための音声登録モードとなって、ステップ４２０に移行する。
【００７０】
また、最初の１秒間以内又は次の１秒間以内に調整音声登録／検索キー１０以外の操作キー６〜９，１１が寸押しされた場合には、寸押しされた操作キーに対応する処理が行われる。
【００７１】
次に、ステップ４２０では、音声合成部２０が『ピィ』というガイダンス音を再生することにより、ユーザーに対して登録開始の示唆をし、次にステップ４２２において、そのガイダンス音に応じてユーザーが発話した音声を音声認識部１８が音声認識する。尚、この場合にも、図１１及び図１２に示したのと同様に、第１，第２閾値ＴＨＤ１，ＴＨＤ２に基づいて発話音声を抽出することで、精度の良い音声認識が行われる。
【００７２】
次に、ステップ４２４において音声認識が正常に行われたか否か判断し、正常に行われた場合には、ステップ４２６に移行する。
【００７３】
ステップ４２６では、制御部２１がＩ／Ｆ回路２２及びインタフェースポート２３を介して、イコライザの現在の設定状態を検出し、その検出データと音声認識で得られた音声とを対応付けて（組み合わせて）、調整音声データ記憶テーブル１９ｃに記憶させる。
【００７４】
例えば、ステップ４０２から４２０に処理が移行した場合、すなわち、ユーザーがイコライザの周波数特性を設定するための音声登録モードを指示した場合であって、ユーザーがイコライザーを「スーパーベース」に調節して、『すーぱーべーす』と発話すると、イコライザーの「スーパーベース」の状態と『すーぱーべーす』の音声データが、調整音声データ記憶テーブル１９ｃに記憶される。
【００７５】
また、ステップ４１２から４２０に処理が移行した場合、すなわち、ユーザーがリスニングポジションを設定するための音声登録モードを指示した場合であって、ユーザーがスピーカ出力の状態を「フロントライト」に調節して、『らいと』と発話すると、「フロントライト」の状態と『らいと』の音声データが、調整音声データ記憶テーブル１９ｃに記憶される。
【００７６】
そして、『登録しました』というガイダンス音を再生することでユーザーに対し登録処理完了の提示をし、更に、音声登録モードを終了した後、再び図１０中のステップ１００からの待機状態となる。
【００７７】
上記ステップ４２４において、音声認識が正常になされなかったと判断した場合にはステップ４２８に移行し、図１１中のステップ２１２と同様に、２回目の場合には、ステップ４３０へ移行する。
【００７８】
ステップ４３０では、ステップ２１４と同様に、『ブーブー』というガイダンス音を再生することで、登録失敗の警告をする。そして、音声登録モードを終了した後、再び図１０中のステップ１００からの待機状態となる。つまり、ノイズの影響等により発話音声の特徴を精度良く抽出できなかったことになると、ユーザーは改めて最初から登録操作を行うことになる。
【００７９】
ステップ４２８において、上記プログラムカウンタの値を１と判定した場合にはステップ４３２に移行し、ステップ２１６と同様に、２．５秒以内に発話されたか否か判断する。２．５秒間以上発話された場合には、『ブー…長すぎます』というガイダンス音により、発話時間が長すぎる旨の警告をする。これ以外の何らかの問題で正常に音声認識がなされなかった場合には、『ブー…もう一度』というガイダンス音により、再度の音声入力を示唆するための警告を行う。
【００８０】
そして、上記の警告を完了すると、スッテプ４２０からの処理を再開し、ユーザーに対し再び所望の発話を行わせる。よって、ユーザーは調整音声登録／検索キー１０を再び操作しなくても、適切な音声データを登録させることができるようになっており、操作性の向上が図られている。
【００８１】
このように、ユーザーは調整音声登録／検索キー１０を操作すると、ガイド音に応じて発話するだけで、イコライザの現在の調節状態に対応付けて、発話音声を調整音声データ記憶テーブル１９ｃに登録することができる。この登録操作後に、ユーザーは登録済みの音声データに対応する語彙を発話するだけで、イコライザを調節するための音声操作（詳細については後述する）が可能となる。
【００８２】
次に、図１０中のステップ１０８において、音量調調節／案内言語切換キー１１が連続して２秒以上押圧されたことを判定した場合の動作を説明する。音量調節／案内言語切換キー１１が連続して２秒以上押圧されると、言語切換モードとなり、図７（ａ）に示すように、制御部２１が案内データ記憶テーブル１９ｄに記憶されている案内音声用データの切換と、案内音声の生成をオフにするための設定を行う。案内データ記憶テーブル１９ｄには、日本語の案内音声用データの他、英語、ドイツ語、フランス語等の複数国の案内音声用データが予め記憶されており、音量調調節／案内言語切換キー１１が２秒以上押される度に、制御部２１が各国の案内音声用データの切換えと案内音声の生成をオフにするための設定を順繰りに制御する。したがって、ユーザーは、音量調調節／案内言語切換キー１１により、ガイド音を所望の国の言語に設定することができると共に、案内音声をオフに設定することができる。
【００８３】
次に、図１０中のステップ１１０において、音量調調節／案内言語切換キー１１が寸押しされたことを判定した場合の動作を説明する。音量調節／案内言語切換キー１１が寸押しされると、音量調整モードとなり、図７（ｂ）に示すように、制御部２１がスピーカアンプ１６の増幅率を大、中、小の３段階の範囲内で順番に切換える。したがって、ユーザーは、音量調調節／案内言語切換キー１１により、スピーカ５の出力音量を大音量、中音量、小音量の何れかに調節することができる。
【００８４】
次に、図１０中のステップ１１２において通常操作／音声操作キー６が寸押しされた場合の動作を説明する。
【００８５】
通常操作／音声操作キー６が寸押しされると、音声操作モードとなり、図１４に示す処理に移行する。図１４において、先ず、制御部２１が上記プログラムカウンタを１にセットしてステップ４５０以降の処理を行う。
【００８６】
ステップ４５０では、音声合成部２０が案内データ記憶テーブル１９ｄ中の所定の案内音声用データを読み出して案内音声信号を生成し、擬音生成部１７が『ピィ』という擬音信号を生成する。
【００８７】
制御部２１がこれらの案内音声信号と擬音信号をスピーカアンプ１６に供給させ、『リクエストをどうぞ…ピィ』という案内音声と擬音からなるガイダンス音としてスピーカ５により再生させ、ユーザーに対し音声操作のための音声を発話するように示唆する。
【００８８】
次に、ステップ４５２において、音声認識部１８が音声認識処理を開始する。ユーザーが、タイトル指定音声データ記憶テーブル１９ａ、ユニット指定音声データ記憶テーブル１９ｂ、調整音声データ記憶テーブル１９ｃに登録されている何れかの音声データに対応する所望の音声（語彙）を発話すると、音声認識部１８がこの発話開始時点を検出し、その発話開始時点から制御部２１内のプログラムタイマが起動して、音声認識部１８に対し２．５秒以内に発話された音声を音声認識させるように制御する。尚、上記音声登録モードの場合と同様に、周囲環境のノイズレベルより高い第１，第２閾値ＴＨＤ１，ＴＨＤ２に基づいて発話音声を抽出することで、高精度の音声認識を行う。
【００８９】
次に、ステップ４５４において音声認識の終了を確認した後、ステップ４５６において、音声認識が正常になされたか否か判断する。ここで、音声認識が正常になされたか否かの判断は、認識対象として入力した上記発話音声のレベル（音声のパワー）が第１，第２閾値ＴＨＤ１，ＴＨＤ２より高レベルであったか否かを判断することにより行われる。そして、音声認識が正常になされたと判断した場合にはステップ４５８に移行する。
【００９０】
ステップ４５８では、音声合成部２０が案内データ記憶テーブル１９ｄ中の所定の案内音声用データを読み出して案内音声信号を生成し、制御部２１がこの案内音声信号をスピーカアンプ１６に供給させ、『かしこまりました』というガイダンス音をスピーカ５より出力させることで、ユーザーに対し確認情報を提示する。更に、制御部２１が、上記音声認識で得られた音声データに基づいてタイトル指定音声データ記憶テーブル１９ａ中の登録音声データを検索し、その音声データに対応するオーディオユニットの情報（上記の登録された受信データ）を取得する。更に、その取得情報に基づいて制御信号を生成し、この制御信号をＩ／Ｆ回路２２及びインタフェースポート２３を介して、ユーザーの指示したオーディオユニットに供給することで、そのオーディオユニットを動作させる。そして、音声操作モードを終了し、再び図１０中のステップ１００からの待機状態となる。
【００９１】
ここで例えば、ユーザーがステップ４５２において『いち』と発話したとすると、図３（ａ）に示すタイトル指定音声データ記憶テーブル１９ａに登録されている「ｄｉｓｃ１  ｔｒａｃｋ１」の情報が検索される。そして、制御部２１が、この情報に対応するＣＤプレーヤーを上記制御信号により制御し、記録再生媒体のトラック１（ｔｒａｃｋ１）の楽曲等を再生させる。
【００９２】
また、ユーザーがステップ４５２において『なな』と発話したとすると、タイトル指定音声データ記憶テーブル１９ａに登録されている「ｂａｎｄ  ｆｍ１  ７６．１ＭＨｚ」の情報が検索される。そして、制御部２１が、この情報に対応するラジオ受信機を上記制御信号により制御し、７６．１ＭＨｚの放送局を選局させる。
【００９３】
また、ユーザーが、図３（ｂ）に示すユニット指定音声データ記憶テーブル１９ｂと図３（ｃ）に示す調整音声データ記憶テーブル１９ｃに登録されている何れかの音声データに対応する所望の音声（語彙）を発話すると、それに対応したオーディオユニットを動作させたり、イコライザを調整する等の音声操作を行うことができる。
【００９４】
上記ステップ４５６において、音声認識が正常になされなかったと判断した場合にはステップ４６０に移行する。ステップ４６０では、制御部２１が上記プログラムカウンタの計数値を調べ、２回目かの判断をする。２回目の場合には、ステップ４６２へ移行する。
【００９５】
ステップ４６２では、擬音生成部１７が『ブーブー』という擬音信号を生成し、更に制御部２１がこの擬音信号をスピーカアンプ１６に供給させ、『ブーブー』というガイダンス音をスピーカ５より出力させることで、音声操作が失敗であった旨の警告をする。そして、音声操作モードを終了した後、再び図１０中のステップ１００からの待機状態となる。つまり、ノイズの影響等により発話音声の特徴を精度良く抽出できなかったことになると、ユーザーは改めて最初から音声操作を行うことになる。
【００９６】
ステップ４６０において、上記プログラムカウンタの値を１と判定した場合にはステップ４６４に移行する。ステップ４６４では、上記プログラムタイマーの計測値を調べ、２．５秒間以上発話されたか否か判断する。
【００９７】
２．５秒間以上発話された場合には、音声合成部２０が案内データ記憶テーブル１９ｄ中の所定の案内音声用データを読み出して案内音声信号を生成すると共に、擬音生成部１７が『ブー』という擬音信号を生成する。更に制御部２１がこの案内音声信号と擬音信号をスピーカアンプ１６に供給させ、『ブー…長すぎます』というガイダンス音をスピーカ５より出力させることで、発話時間が長すぎる旨の警告をする。
【００９８】
また、これ以外の何らかの問題で正常に音声認識がなされなかった場合には、音声合成部２０が案内データ記憶テーブル１９ｄ中の所定の案内音声用データを読み出して案内音声信号を生成すると共に、擬音生成部１７が『ブー』という擬音信号を生成し、更に制御部２１がこの案内音声信号と擬音信号をスピーカアンプ１６に供給させ、『ブー…もう一度』というガイダンス音をスピーカ５より出力させる。これにより、再度の音声入力を促すための警告が行なわれる。
【００９９】
そして、ステップ４６４の警告処理を終了すると、上記プログラムカウンタに２をセットしてスッテプ４５０からの処理を再開し、ユーザーに対し再び所望の発話を行わせる。すなわち、発話の仕方が適切でなかったときには、上記音声登録モードの場合と同様に、通常操作／音声操作キー６を再び操作しなくても、再び適切な発話をするだけで音声操作ができるようになっている。
【０１００】
このように、ユーザーは、通常操作／音声操作キー６を寸押し、音声データ記憶テーブル１９ａ〜１９ｃに登録しておいた音声（語彙）を、ガイド音に応じて発話するだけで、所望のオーディオユニットを操作することができるようになっている。
【０１０１】
次に、図１０中のステップ１１４において、検索／正方向走査キー７又は検索／逆方向走査キー８が寸押しされたことを判定した場合の動作を説明する。検索／正方向走査キー７又は検索／逆方向走査キー８が寸押しされると、登録済み音声データ検索モードとなり、図１５に示す処理が行われる。
【０１０２】
ステップ５００において、制御部２１が、タイトル指定音声データ記録テーブル１９ａを検索し、登録された音声データが存在するか否か判定する。登録音声データが存在しない場合（「ＮＯ」の場合）には、『音声は登録されていません』というガイダンス音を提示した後、図１０のステップ１００に戻る。
【０１０３】
登録音声データが存在した場合（「ＹＥＳ」の場合）には、ステップ５０２に移行して、現在動作中のオーディオユニットを調べ、そのオーディオユニットに関連する登録音声データが図３（ａ）に示すタイトル指定音声データ記録テーブル１９ａ中に存在するか判定する。例えば、現在動作中のオーディオユニットがラジオ受信チューナで、８１．１ＭＨｚの放送局を受信中であれば、８１．１ＭＨｚの放送局に対応する登録音声データの存在の有無を判定する。
【０１０４】
ここで、図３（ａ）に示すように、例えば８１．１ＭＨｚの放送局に対応する「はち」という音声データが存在すると、ステップ５０４において、音声合成部２０が「はち」という音声データを読み出して音声合成し、スピーカ５より『はち』という合成音声を出力させる。
【０１０５】
一方、ステップ５０２において、現在動作中のオーディオユニットに関連する登録音声データが存在しなかった場合（「ＮＯ」の場合）には、ステップ５０６に移行する。
【０１０６】
ステップ５０６では、検索／正方向走査キー７が寸押しされていた場合には、タイトル指定音声データ記録テーブル１９ａ中に存在するアクティブ状態のオーディオユニットに関連する登録音声データを正方向順に読み出して、合成音声にしてスピーカ５より順番に出力する。検索／逆方向走査キー８が寸押しされていた場合には、アクティブ状態のオーディオユニットに関連する登録音声データを逆方向順に読み出して、合成音声にしてスピーカ５より順番に出力する。
【０１０７】
これにより、ユーザーは、タイトル指定音声データ記録テーブル１９ａに登録した音声データを確認することができると共に、たとえ忘れた場合でも、再確認することが可能となる。
【０１０８】
次に、ステップ５０８において、制御部２１がプログラムタイマーにより８秒間の計測をする。更に、ステップ５１０〜５１８において、８秒以内に他の操作釦スイッチ６〜１１が寸押しされたか否か判定し、寸押しされた場合には各操作釦スイッチ６〜１１に対応する処理を行った後、図１０中のステップ１００の処理に戻り、８秒間が経過しても何れの操作釦スイッチ６〜１１も寸押しされなかった場合には、ステップ５０８から直接図１０中のステップ１００の処理に戻る。
【０１０９】
先ず、ステップ５１０において、検索／正方向走査キー８が寸押しされていた状態で検索／正方向走査キー７が寸押しされた場合には、ステップ５２０に移行する。ステップ５２０では、最後に合成音により提示した音声データよりも、１つ正方向のメモリアドレスに記憶されている音声データを読み出し、合成音声にして提示する。そして、ステップ５０８の処理に戻る。
【０１１０】
ステップ５１２において、検索／正方向走査キー７が寸押しされていた状態で検索／逆方向走査キー８が寸押しされた場合には、ステップ５２２に移行する。ステップ５２２では、最後に合成音声により提示した音声データよりも、１つ逆方向のメモリアドレスに記憶されている音声データを読み出し、合成音声にして提示する。そして、ステップ５０８の処理に戻る。
【０１１１】
すなわち、ステップ５２０と５２２では、タイトル指定音声データ記録テーブル１９ａに登録されている音声データの提示の順番を切換える。
【０１１２】
ステップ５１４において、ユニット検索／登録キー９が寸押しされた場合には、ステップ５２４に移行する。ステップ５２４では、図３（ｂ）に示すユニット指定音声データ記憶テーブル１９ｂを検索し、現在動作中のオーディオユニットの音声データの存在の有無を調べ、存在していればその音声データを合成音声にして提示する。例えば、現在動作中のオーディオユニットがラジオ受信チューナであれば、『ちゅーなー』という合成音声を提示する。そして、ステップ５０８の処理に戻る。また、該当する音声データが存在しなかった場合には、ユニット指定音声データ記憶テーブル１９ｂの先頭の音声データを読み出し、ステップ５０８の処理に戻るようになっている。
【０１１３】
ステップ５１６において、調整音声登録／検索キー１０が寸押しされた場合には、ステップ５２６に移行する。ステップ５２６では、図３（ｃ）に示す調整音声データ記憶テーブル１９ｃを検索し、イコライザに関する登録音声データの存在の有無を調べ、存在していればその音声データを合成音声にして提示する。そして、ステップ５０８の処理に戻る。また、該当する音声データが存在しなかった場合には、調整音声データ記憶テーブル１９ｃの先頭の音声データを読み出し、ステップ５０８の処理に戻るようになっている。
【０１１４】
ステップ５１８において、他の操作キー６，１０が操作されると、ステップ５２８に移行し、各操作キー６，１０に対応した処理を行った後、ステップ５０８の処理に移行する。
【０１１５】
このように、ユーザーは、操作釦スイッチ７，８，９，１０の何れかを寸押しして、登録済み音声データ検索モードを設定することにより、タイトル指定音声データ記録テーブル１９ａとユニット指定音声データ１９ｂ及び調整音声データ記憶テーブル１９ｃに登録されている音声データを確認することができるため、登録音声を忘れた場合でも再確認することが可能となる。
【０１１６】
次に、図１０のステップ１１６において、検索／正方向走査キー７又は検索／逆方向走査キー８が連続して２秒以上押圧されたことを判定した場合の動作を説明する。検索／正方向走査キー７又は検索／逆方向走査キー８が連続して２秒以上押圧されると、登録済み音声データ走査モードとなり、図８（ｂ）又は図９（ｂ）に示す処理が行われる。ここで、検索／正方向走査キー７が連続して２秒以上押圧された場合には、図３（ａ）に示す音声データ記憶テーブル１９ａに既に登録されている音声データを正方向順に読み出し（スキャニングし）、順次に合成音声にして提示する。また、途中で通常登録／音声走査キー６が寸押しされると、最後に検索又は走査した音声データに基づいて、その音声データに対応するオーディオユニットを制御する。
【０１１７】
一方、検索／逆方向走査キー８が連続して２秒以上押圧された場合には、図３（ａ）に示す音声データ記憶テーブル１９ａに既に登録されている音声データを逆方向順に読み出し（スキャニングし）、順次に合成音声にして提示する。また、途中で通常登録／音声走査キー６が寸押しされると、最後に検索又は走査した音声データに基づいて、その音声データに対応する現在動作中のオーディオユニットを制御する。
【０１１８】
次に、図１０のステップ１１８において、ユニット登録／検索キー９が寸押しされたことを判定した場合の動作を説明する。ユニット登録／検索キー９が寸押しされると、ユニット指定音声データ検索モードとなり、図５（ｂ）に示す処理が行われる。すなわち、ユニット指定音声データ記憶テーブル１９ｂ…？に既に登録されている現在動作中のオーディオユニットの名称に関する音声データを合成音声にして提示する。また、現在動作中のオーディオユニットの名称に関する音声データが登録されていない場合には、他のオーディオユニットの名称に関する音声データを順次に合成音声として提示するためのユニット指定音声データ走査モードに切換わる。また、ユニット指定音声データ走査モード中に再びユニット登録／検索キー９が寸押しされると、ユニット指定音声データ記憶テーブル１９ｂに既に登録されている現在動作中のオーディオユニットの名称に関する音声データを合成音声にして提示する動作に切換わる。また、ユニット指定音声データ検索モード又はユニット指定音声データ走査モード中に、通常登録／音声走査キー６が寸押しされると、最後に検索又は走査した音声データに基づいて、その音声データに対応する現在動作中のオーディオユニットを制御する。
【０１１９】
次に、図１０のステップ１２０において、調整音声登録／検索キー１０が寸押しされたことを判定した場合の動作を説明する。調整音声登録／検索キー１０が寸押しされると、調整音声データ検索モードとなり、図６（ｃ）に示す処理が行われる。すなわち、図３（ｃ）に示す調整音声データ記憶テーブル１９ｃ中に登録されている現在設定されているポジショニング状態やイコライザの周波数特性に関連する音声データを合成音声にして提示する。また、調整音声データ検索モード中に、調整音声登録／検索キー１０が寸押しされると、調整音声データ記憶テーブル１９ｃ中に登録されている全ての音声データを走査（スキャニング）し、合成音声にして順次に提示する。また、途中で通常登録／音声走査キー６が寸押しされると、最後に検索又は走査した音声データに基づいて、その音声データに対応する現在動作中のオーディオユニットを制御する。
【０１２０】
以上説明したように、本実施形態の音声操作装置によれば、音声操作を行うためにタイトル指定音声データ記憶テーブル１９ａとユニット指定音声データ記憶テーブル１９ｂ及び調整音声データ記憶テーブル１９ｃに登録した音声データを検索又は走査し、合成音声にして提示するようにしたので、ユーザーは登録音声を忘れた場合等でも、登録音声とそれに対応する被操作対象との関連を容易に調べることができる。このため、従来技術のように、改めて最初から音声データを登録する必要が無く、優れた操作性を実現することができる。
【０１２１】
また、各操作釦スイッチ６〜１１に複数の操作機能を割り当てたので、操作釦スイッチの個数を低減して、遠隔操作部４の小型化等を実現することができるという効果も得られる。
【０１２２】
また、オーディオシステムを音声操作するための実施形態について説明したが、本発明は、単に、オーディオシステム用音声操作装置に限定されるものではない。例えば、車載用オーディオシステムにエアーコンディショナーが併設された車載用ユニットにおいて、これオーディオシステムとエアーコンディショナーを音声操作する場合にも適用することができる。また、オーディオシステムに限らず、様々な被制御対象を音声操作するのに適用することができる。
【０１２３】
【発明の効果】
以上説明したように本発明によれば、記憶手段に記憶された音声情報を被操作対象と関連付けて検索して提示する検索手段を備えたので、ユーザーが音声情報を忘れた場合等でも、ユーザーに対しその音声情報とそれに対応する被操作対象との関連性についての情報を提供することができる。このため、音声情報を忘れた場合等に、音声情報を記憶手段に再度記憶させる必要が無くなり、ユーザーに対し優れた操作性を提供することができる。
【図面の簡単な説明】
【図１】本実施形態に係る音声操作装置の外観構造を示す平面図である。
【図２】音声コントロールユニットに内蔵されている信号処理回路の構成を示すブロック図である。
【図３】タイトル指定音声データ記憶テーブルとユニット指定音声データ記憶テーブル及び調整音声データ記憶テーブルの各メモリマップを示す図である。
【図４】通常登録／音声操作キーの機能を示す機能説明図である。
【図５】ユニット登録／検索キーの機能を示す機能説明図である。
【図６】調整音声登録／検索キーの機能を示す機能説明図である。
【図７】音量調節／案内言語切換キーの機能を示す機能説明図である。
【図８】検索／正方向走査キーの機能を示す機能説明図である。
【図９】検索／逆方向走査キーの機能を示す機能説明図である。
【図１０】本実施形態に係る音声操作装置の待機処理中の動作を示すフローチャートである。
【図１１】音声登録モードにおける動作を示すフローチャートである。
【図１２】ユニット指定音声登録モードにおける動作を示すフローチャートである。
【図１３】イコライザ調整音声登録モードにおける動作を示すフローチャートである。
【図１４】音声走査モードにおける動作を示すフローチャートである。
【図１５】登録済み音声データ検索モードにおける動作を示すフローチャートである。
【符号の説明】
１…音声操作装置
２…音声コントロールユニット
３…マイクロフォン
４…遠隔操作部
５…スピーカ
６〜１１…操作釦スイッチ
１２，１３…接続ケーブル
１４…コネクタ
１５…マイクアンプ
１６…スピーカアンプ
１７…擬音生成部
１８…音声認識部
１９…音声データ記憶部
１９ａ…タイトル指定音声データ記憶テーブル
１９ｂ…ユニット指定音声データ記憶テーブル
１９ｃ…調整音声データ記憶テーブル
１９ｄ…案内データ記憶テーブル１９ｄ
２０…音声合成部
２１…制御部
２２…インタフェース回路
２３…インタフェースポート
【図１】
0003715469.tif 000002
【図２】
0003715469.tif 000003
【図３】
0003715469.tif 000004
【図４】
0003715469.tif 000005
【図５】
0003715469.tif 000006
【図６】
0003715469.tif 000007
【図７】
0003715469.tif 000008
【図８】
0003715469.tif 000009
【図９】
0003715469.tif 000010
【図１０】
0003715469.tif 000011
【図１１】
0003715469.tif 000012
【図１２】
0003715469.tif 000013
【図１３】
0003715469.tif 000014
【図１４】
0003715469.tif 000015
【図１５】
0003715469.tif 000016